(57)【要約】  コアンダ効果を利用した冷房が可能であり、天井が湿るのを防止する。室内機の導風板制御部（３１）は、冷房運転時に、導風板の天井吹付け配置により天井が湿る所定の条件が満たされた場合に、空気の吹出し方向が導風板の天井吹付け配置の場合よりも下向きとなるように導風板駆動部（３２）を制御する。
2019163164.tif 000002
【特許請求の範囲】
【請求項１】
空気の吹出し方向を変更する導風板と、
前記導風板を駆動する導風板駆動部と、
冷房運転時に、前記導風板が天井に空気を吹き付ける天井吹付け配置となるように前記導風板駆動部を制御する導風板制御部とを備えている空気調和機の室内機において、
前記導風板制御部は、冷房運転時に、前記導風板の前記天井吹付け配置により前記天井が湿る所定の条件が満たされた場合に、空気の吹出し方向が前記導風板の天井吹付け配置の場合よりも下向きとなるように、前記導風板駆動部を制御することを特徴とする空気調和機の室内機。
【請求項２】
前記導風板制御部は、冷房運転時に、前記導風板の前記天井吹付け配置が所定時間続いた場合に、空気の吹出し方向が前記導風板の前記天井吹付け配置の場合よりも下向きとなるように、前記導風板駆動部を制御することを特徴とする請求項１に記載の空気調和機の室内機。
【請求項３】
部屋の温度を測定する室温センサと、
前記部屋の湿度を測定する湿度センサと、
室内機からの空気の吹出し温度を測定する吹出し温度センサと、
前記部屋の温度および前記部屋の湿度から露点温度を求める露点温度演算部とを備え、
前記導風板制御部は、冷房運転時に、前記露点温度よりも前記吹出し温度の方が低くなった場合に、空気の吹出し方向が前記導風板の天井吹付け配置の場合よりも下向きとなるように、前記導風板駆動部を制御することを特徴とする請求項１に記載の空気調和機の室内機。
【請求項４】
部屋の壁に対する室内機の左右方向の設置位置を示す設置位置情報を取得する設置位置情報取得部を備え、
前記導風板制御部は、前記設置位置情報が示す室内機の設置位置が、前記壁の右端または左端から所定の距離範囲内での設置状態である端設置である場合に、空気の吹出し方向が前記導風板の天井吹付け配置の場合よりも下向きとなるように、前記導風板駆動部を制御することを特徴とする請求項１に記載の空気調和機の室内機。
【請求項５】
部屋の天井に対する室内機の設置位置を示す設置位置情報を取得する設置位置情報取得部を備え、
前記導風板制御部は、前記設置位置情報が示す室内機の設置位置が、前記天井から所定の距離範囲内である場合に、空気の吹出し方向が前記導風板の天井吹付け配置の場合よりも下向きとなるように、前記導風板駆動部を制御することを特徴とする請求項１に記載の空気調和機の室内機。
【請求項６】
請求項１から５のいずれか１項に記載の空気調和機の室内機としてコンピュータを機能させるためのプログラムであって、前記導風板制御部としてコンピュータを機能させるためのプログラム。
【発明の詳細な説明】
【技術分野】
【０００１】
本発明は、空気の吹出し方向を変更可能な空気調和機の室内機に関する。
【背景技術】
【０００２】
従来の空気調和機には、特許文献１に開示されているように、冷房運転時にコアンダ効果を利用して部屋全体を均一に冷やすようにしたものがある。具体的には、空気調和機の室内機は、冷房運転時に、天井方向に向かって風を送ることにより、少ない風速で天井に沿って風が流れるコアンダ効果を利用し、冷気を遠方へ効率よく送りこむことができるようにしている。
【先行技術文献】
【特許文献】
【０００３】
【特許文献１】日本国公開特許公報「特開２０１７−１０６７２４号公報」
【発明の概要】
【発明が解決しようとする課題】
【０００４】
しかしながら、上記従来のように、空気調和機の室内機から天井方向に向かって冷えた空気を長時間送り続けた場合に、天井が湿る可能性があるという問題点を有している。【０００５】
本発明の一態様は、冷房運転時にコアンダ効果を利用した効率の良い冷房動作が可能であり、天井が湿る事態を防止することができる空気調和機の室内機の提供を目的としている。
【課題を解決するための手段】
【０００６】
上記の課題を解決するために、本発明の一態様に係る空気調和機の室内機は、空気の吹出し方向を変更する導風板と、前記導風板を駆動する導風板駆動部と、冷房運転時に、前記導風板が天井に空気を吹き付ける天井吹付け配置となるように前記導風板駆動部を制御する導風板制御部とを備えている空気調和機の室内機において、前記導風板制御部は、冷房運転時に、前記導風板の前記天井吹付け配置により前記天井が湿る所定の条件が満たされた場合に、空気の吹出し方向が前記導風板の天井吹付け配置の場合よりも下向きとなるように、前記導風板駆動部を制御する。
【発明の効果】
【０００７】
本発明の一態様によれば、空気調和機の室内機は、冷房運転において、コアンダ効果による効率のよい運転が可能であり、天井が湿る事態を防止することができる。
【図面の簡単な説明】
【０００８】
【図１】本発明の実施形態の空気調和機の室内機を示すものであって、導風板が斜め上向き配置の状態の縦断面図である。
【図２】図１に示した室内機が備える導風板駆動装置の構成を示すブロック図である。
【図３】図１に示した室内機の、導風板が水平配置の状態の縦断面図である。
【図４】図１に示した室内機の、導風板が斜め下向き配置の状態の縦断面図である。
【図５】図１に示した室内機の導風板が斜め上向き配置である場合の部屋の内部での空気の流れを示す説明図である。
【図６】図２に示した導風板駆動装置の動作を示すフローチャートである。
【図７】本発明の他の実施形態の室内機が備える導風板駆動装置の構成を示すブロック図である。
【図８】図７に示した導風板駆動装置の動作を示すフローチャートである。
【図９】本発明のさらに他の実施形態の室内機が備える導風板駆動装置の構成を示すブロク図である。
【図１０】図９に示した室内機の部屋の内部における中央設置、右端設置および左端設置の各状態を示す説明図である。
【図１１】図１１の（ａ）は、リモコンにて室内機が左端設置であることを入力した状態を示す説明図、図１１の（ｂ）は、リモコンにて室内機が中央設置であることを入力した状態を示す説明図、図１１の（ｃ）は、リモコンにて室内機が右端設置であることを入力した状態を示す説明図である。
【図１２】図９に示した導風板駆動装置の動作を示すフローチャートである。
【図１３】図９に示したリモコンに代えて、設置位置情報の提供をスマートフォンから行う場合の構成を示すブロック図である。
【図１４】本発明のさらに他の実施形態の室内機が備える導風板駆動装置の構成を示すブロク図である。
【図１５】図１４に示した室内機の部屋の内部の天井に対する設置位置を示す説明図である。
【図１６】図１４に示したスマートフォンにおける設置位置情報の入力画面を示す説明図である。
【図１７】図１４に示した導風板駆動装置の動作を示すフローチャートである。
【発明を実施するための形態】
【０００９】
〔実施形態１〕
以下、本発明の一実施形態について、詳細に説明する。図１は、本実施形態の空気調和機の室内機１を示すものであって、導風板１７ａ，１７ｂが斜め上向き配置の状態の縦断面図である。
【００１０】
（室内機１の構造）
図１に示すように、空気調和機の室内機（以下、単に室内機と称する）１は、キャビネット１１の内部に、熱交換器１２および送風ファン１３が設けられている。熱交換器１２は室外機（図示せず）と接続され、冷凍サイクルを構成している。送風ファン１３は、例えばクロスフローファンである。
【００１１】
キャビネット１１の前面側には、フロントパネル１４が着脱可能に設けられている。キャビネット１１は、上面部、およびフロントパネル１４の上端との間に吸込口２１を有し、下部の前面側に吹出口２２を有している。キャビネット１１の内部における吸込口２１との対向位置には、エアフィルタ１５が設けられている。
【００１２】
室内機１では、送風ファン１３が回転することにより、吸込口２１から吸いこまれた空気がエアフィルタ１５および熱交換器１２を通過し、吹出口２２から吹き出される。
【００１３】
吹出口２２には、吹出口２２からの吹出し角度を上下方向へ変更可能な導風板１７ａ，１７ｂが設けられている。導風板１７ａ，１７ｂの奥には左右方向の吹出し角度を変更可能な縦ルーバ１８が設けられている。導風板１７ａ，１７ｂは、軸（図示せず）を中心に回転可能である。
【００１４】
上述した室内機１の構造は、後述する他の実施形態の室内機においても同様である。
【００１５】
（導風板駆動装置１９の構成）
図２は、室内機１が備える導風板駆動装置１９の構成を示すブロック図である。図３は、導風板１７ａ，１７ｂが水平配置の状態の室内機１の縦断面図である。図４は、導風板１７ａ，１７ｂが斜め下向き配置の状態の室内機１の縦断面図である。
【００１６】
室内機１は、図２に示すように、導風板１７ａ，１７ｂを駆動する導風板駆動装置１９を備えている。図２に示すように、導風板駆動装置１９は、導風板制御部３１および導風板駆動部３２を備えている。導風板駆動部３２は、モータを含み、導風板１７ａ，１７ｂを回転させる。導風板制御部３１は、タイマを備え、導風板１７ａ，１７ｂの角度が例えば図１、図３あるいは図４の状態となるように、導風板駆動部３２の駆動を適宜制御する。
【００１７】
具体的には、導風板制御部３１は、室内機１のリモートコントローラ（以下、単にリモコンと称する）３３と通信し、リモコン３３からの指示にしたがって、導風板１７ａ，１７ｂの角度を制御する。また、導風板制御部３１は、室内機１の設定が例えば上下風向自動が運転の場合に、所定の制御プログラムに従って、導風板１７ａ，１７ｂの角度を制御する。このために、導風板制御部３１は、ＣＰＵ４１、導風板１７ａ，１７ｂの角度を制御するプログラムを記憶したＲＯＭ４３、ＣＰＵ４１の作業領域となるＲＡＭ４２を備えている。
【００１８】
（室内機１の動作の概要）
空気調和機は、冷房運転において、例えば、設定温度２６℃、風量自動、左右風向が正面、上下風向が自動運転の設定であり、部屋５１の温度が３５℃程度である場合に、運転開始当初、室外機のコンプレッサを高速回転させ、送風ファンも高速回転させる。その後、部屋５１の室内温度が設定温度に向かって安定してくると、次第にコンプレッサの回転速度を低下させる。また、室内機１の吹出口２２からの吹出し温度が高くなり過ぎないように室内機１の送風ファンの回転速度を低下させ、室内温度が２６℃になるように調整する。さらに、室内温度が設定温度付近になると、導風板１７ａ，１７ｂを斜め上向き配置（天井吹付け配置）とする。このような室内機１の動作は、以下の他の実施形態の室内機においても同様である。
【００１９】
図５は、図１に示したように、室内機１の導風板１７ａ，１７ｂが斜め上向き配置である場合の部屋５１の内部での空気の流れを示す説明図である。
【００２０】
室内機１は、図５に示すように、例えば部屋５１の壁の上部の中央位置に設置されている。この場合、室内機１は、冷房運転において、吸込口２１から吸い込んだ空気を冷却し、冷えた空気を吹出口２２から斜め上方へ向けて吹き出す。この空気は、矢印にて示すように、部屋５１の天井に吹き付けられ、コアンダ効果によって天井の下面、室内機１に対向する壁面、床面および室内機１側の壁面に沿って順次ながれ、部屋５１の内部を効率よく冷やす。
【００２１】
以上のように、室内機１は、冷房運転において、導風板１７ａ，１７ｂを斜め上向き配置とし、冷えた空気を天井に向かって斜め上方へ吹き付けることにより、部屋５１の内部を効率よく冷やすことができる。
【００２２】
一方、冷えた空気が長時間に亘って部屋５１の天井に吹き付けられた場合、天井の下面が湿る可能性がある。そこで、導風板制御部３１は、導風板１７ａ，１７ｂを斜め上向き配置した状態が所定時間（例えば４８時間）に達すると、導風板１７ａ，１７ｂを斜め上向き配置よりも下向き配置、例えば水平配置に切り替えるようになっている。
【００２３】
（導風板駆動装置１９の動作）
図６は、導風板駆動装置１９の動作を示すフローチャートである。導風板駆動装置１９が動作を開始すると、導風板制御部３１は、まず室内機１が冷房運転をしているかどうかを判定する（Ｓ１１）。
【００２４】
次に、導風板制御部３１は、室内機１が冷房運転をしている場合、導風板１７ａ，１７ｂが斜め上向き配置かどうかを判定する（Ｓ１２）。
【００２５】
導風板１７ａ，１７ｂが斜め上向き配置となるのは、室内機１が冷房運転であり、かつ上下風向が自動運転に設定されている場合（第１の場合）である。あるいは、ユーザのリモコン３３の操作により、導風板１７ａ，１７ｂの斜め上向き配置（風向上向き、あるいは風向斜め上向き）が設定された場合（第２の場合）である。導風板１７ａ，１７ｂの斜め上向き配置は、導風板制御部３１が導風板駆動部３２を制御することにより行われる。
【００２６】
次に、導風板制御部３１は、導風板１７ａ，１７ｂを斜め上向き配置としている時間のカウントを開始する（Ｓ１３）。なお、計時するカウンタは、室内機１の運転停止、または運転モード変更にてリセットされる。
【００２７】
その後、導風板制御部３１は、斜め上向き配置となっている時間が所定時間に到達すると（Ｓ１４）、導風板駆動部３２を制御して、導風板１７ａ，１７ｂを斜め上向き配置よりも下向き配置である例えば水平配置とする（Ｓ１５）。その後、室内機１が冷房運転を終了すると（Ｓ１６）、導風板制御部３１は、動作を終了する。
【００２８】
（室内機１の利点）
以上のように、本実施形態の室内機１は、冷房運転において、導風板１７ａ，１７ｂの斜め上向き配置が所定時間に到達すると（所定時間続いた場合に）、導風板１７ａ，１７ｂを斜め上向き配置よりも下向き、例えば水平配置に切り替えるようになっている。これにより、室内機１は、冷房運転において、コアンダ効果による効率のよい冷房運転を行いながら、部屋５１の天井に冷えた空気が長時間が吹き付けられることにより天井が湿る事態を防止することができる。
【００２９】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００３０】
（導風板駆動装置６１の構成）
図７は、本実施形態の室内機２が備える導風板駆動装置６１の構成を示すブロック図である。室内機２は、図７に示すように、前記導風板駆動装置１９に代えて導風板駆動装置６１を備えている。導風板駆動装置６１は、前記導風板制御部３１に代わる導風板制御部７１、導風板駆動部３２、露点温度演算部８１、室温センサ８２、湿度センサ（相対湿度計）８３および吹出し温度センサ８４を備えている。
【００３１】
室温センサ８２は部屋５１の温度（室温）を測定する。具体的には、室温センサ８２は熱交換器１２に入る前の空気の温度を測定する。湿度センサ８３は、部屋５１の湿度を測定する。具体的には、湿度センサ８３は、同様に、熱交換器１２に入る前の空気の温度を測定する。吹出し温度センサ８４は、吹出口２２からの吹出される空気の温度（吹出し温度）を測定する。吹出し温度センサ８４は、例えば熱交換器１２の温度を測定し、その温度を吹出し温度とする。
【００３２】
露点温度演算部８１は、室温センサ８２が測定する部屋５１の温度および湿度センサ８３が測定する部屋５１の湿度から部屋５１の露点温度を求める。
【００３３】
導風板制御部７１は、室内機２の冷房運転時に、吹出し温度センサ８４から得た吹出し温度が露点温度演算部８１から得た露点温度よりも低い場合であって、導風板１７ａ，１７ｂが斜め上向き配置である場合に、導風板１７ａ，１７ｂが斜め上向き配置よりも下向き配置、例えば水平配置となるように、導風板駆動部３２を制御する。導風板制御部７１の他の構成は前述した導風板制御部３１と同様である。
【００３４】
（導風板駆動装置６１の動作）
図８は、導風板駆動装置６１の動作を示すフローチャートである。導風板駆動装置６１が動作を開始すると、まず導風板制御部７１は、まず、室内機２が冷房運転をしているかどうかを判定する（Ｓ２１）。
【００３５】
露点温度演算部８１は、Ｓ２１において、室内機２が冷房運転をしていると、室温センサ８２が測定する部屋５１の室内温度、および湿度センサ８３が測定する部屋５１の湿度から、部屋５１の露点温度を求める（Ｓ２２）。導風板制御部７１は、吹出し温度センサ８４が測定する、吹出口２２からの空気の吹出し温度が、求めた露点温度よりも低いかどうかを判定する（Ｓ２３）。
【００３６】
導風板制御部７１は、Ｓ２３での判定の結果、吹出し温度が露点温度よりも低い場合、導風板駆動部３２を制御して、導風板１７ａ，１７ｂを斜め上向き配置よりも下向き配置である例えば水平配置とする（Ｓ２４）。その後、導風板制御部７１は、冷房運転が終了であれば動作を終了し、冷房運転が終了でなければ、Ｓ２１へ戻り、それ以降の動作を繰り返す。
【００３７】
一方、導風板制御部７１は、Ｓ２３での判定の結果、吹出し温度が露点温度以上であれば、導風板駆動部３２を制御して、導風板１７ａ，１７ｂを斜め上向き配置とする（Ｓ２６）。その後、導風板制御部７１は、冷房運転が終了であれば動作を終了し、冷房運転が終了でなければ、Ｓ２１へ戻り、それ以降の動作を繰り返す。
【００３８】
なお、Ｓ２３において、導風板１７ａ，１７ｂが斜め上向き配置となっているのは、前述したように、例えば第１の場合または第２の場合である。
【００３９】
（室内機２の利点）
以上のように、本実施形態の室内機２は、冷房運転において、室内機２からの吹出し温度が部屋５１の露点温度よりも低い場合に、導風板１７ａ，１７ｂを斜め上向き配置とする。一方、室内機２は、室内機２からの吹出し温度が部屋５１の露点温度以上である場合に、導風板１７ａ，１７ｂを斜め上向き配置よりも下向きの例えば水平配置とする。これにより、室内機２は、冷房運転において、コアンダ効果による効率のよい冷房運転を行いながら、部屋５１の天井に水分を多量に含む空気（例えば霧状の空気）が吹き付けられることにより天井が湿る事態を防止することができる。
【００４０】
〔実施形態３〕
本発明のさらに他の実施形態について、以下に説明する。なお、説明の便宜上、上記実施形態にて説明した部材と同じ機能を有する部材については、同じ符号を付記し、その説明を繰り返さない。
【００４１】
（導風板駆動装置６２の構成）
図９は、本実施形態の室内機３が備える導風板駆動装置６２の構成を示すブロク図である。図１０は、部屋５１の内部における室内機３の中央設置、右端設置および左端設置の各状態を示す説明図である。
【００４２】
室内機３は、図９に示すように、前記導風板駆動装置１９に代えて導風板駆動装置６２を備えている。導風板駆動装置６２は、前記導風板制御部３１に代わる導風板制御部７２、導風板駆動部３２および設置位置情報取得部９１を備えている。
【００４３】
設置位置情報取得部９１は、リモコン３３から送信された室内機３の設置位置情報を取得する。設置位置情報は、部屋５１の壁に対する室内機３の左右方向の設置位置の情報を含んでいる。
【００４４】
ここで、室内機３は、部屋５１の壁の上部に設置され、さらにユーザの好みや部屋５１の家具等のレイアウトの関係から、図１０に示すように、中央設置、右端設置（端設置）あるいは左端設置（端設置）となる場合がある。設置位置情報における右端設置とは、室内機３を設置する壁の右端（向って右端）から所定の距離範囲内での設置状態を指す。同様に、設置位置情報における左端設置とは、室内機３を設置する壁の左端（向って左端）から所定の距離範囲内での設置状態を指す。設置位置情報における中央設置とは、上記の右端設置および左端設置以外の室内機３の設置状態、すなわち右端設置および左端設置よりも壁の中央寄りの設置状態を指す。
【００４５】
導風板制御部７２は、室内機３の冷房運転時に、設置位置情報が示す室内機３の設置位置が中央設置の場合に、導風板１７ａ，１７ｂが斜め上向き配置となるように導風板駆動部３２を制御する。一方、導風板制御部７２は、室内機３の冷房運転時に、設置位置情報が示す室内機３の設置位置が右端設置または左端設置の場合に、導風板１７ａ，１７ｂが斜め上向き配置よりも若干下向き配置となるように、例えば斜め上向き配置と水平配置との間の配置位置となるように、導風板駆動部３２を制御する。
【００４６】
（リモコン３３での設置位置情報の入力）
図１１の（ａ）は、リモコン３３にて室内機３が左端設置であることを入力した状態を示す説明図、図１１の（ｂ）は、リモコン３３にて室内機３が中央設置であることを入力した状態を示す説明図、図１１の（ｃ）は、リモコン３３にて室内機３が右端設置であることを入力した状態を示す説明図である。
【００４７】
リモコン３３にて設置位置情報を入力する場合には、まず、メニューボタン３３ａを押して設置位置の入力画面を呼び出し、次に、上下ボタン３３ｂを操作して設置位置を選択し、次に、決定ボタン３３ｃを押して設置位置を決定する。この操作により決定された室内機３の設置位置は、設置位置情報としてリモコン３３から室内機３へ送信される。
【００４８】
（導風板駆動装置６２の動作）
図１２は、導風板駆動装置６２の動作を示すフローチャートである。導風板駆動装置６２が動作を開始すると、導風板制御部７２は、まず、室内機３が冷房運転をしているかどうかを判定する（Ｓ３１）。
【００４９】
設置位置情報取得部９１は、室内機３が冷房運転していれば、リモコン３３から送信された設置位置情報を取得する（Ｓ３２）。
【００５０】
導風板制御部７２は、設置位置情報取得部９１が取得した設置位置情報から、室内機３の設置位置が右端設置または左端設置であるかどうかを判定する（Ｓ３３）。
【００５１】
さらに、導風板制御部７２は、Ｓ３３において、室内機３の設置位置が右端設置または左端設置であれば、導風板駆動部３２を制御して、導風板１７ａ，１７ｂを斜め上向き配置よりも若干下向き配置とする（Ｓ３４）。その後、導風板制御部７２は、冷房運転が終了であれば動作を終了する。
【００５２】
一方、導風板制御部７２は、Ｓ３３において、室内機３の設置位置が右端設置または左端設置でなければ、導風板駆動部３２を制御して、導風板１７ａ，１７ｂを斜め上向き配置とする（Ｓ３５）。その後、導風板制御部７２は、冷房運転が終了であれば動作を終了する。
【００５３】
なお、室内機３は、部屋５１の壁に一旦設置されると、通常、設置位置は変更されない。したがって、上記の動作は、室内機３を設置した場合の初期設定として行われる。そこで、導風板制御部７２は、室内機３の設置位置（設置位置情報）を記憶し、それ以降の制御は、記憶している設置位置に基づいて行う。あるいは、導風板制御部７２は、冷房運転時の導風板１７ａ，１７ｂの配置位置を記憶しておき、冷房運転時には導風板１７ａ，１７ｂの配置位置が記憶している配置となるように、導風板駆動部３２を制御する。
【００５４】
また、上記の説明では、室内機３への設置位置情報の提供をリモコン３３から行う構成とした。しかしながら、室内機３への設置位置情報の提供は、リモコン３３からではなく、図１３に示すように、スマートフォン（携帯情報端末装置）１０１からサーバ（管理装置）１０２を経由して行ってもよい。
【００５５】
図１３は、設置位置情報の提供をリモコン３３に代えてスマートフォン１０１から行う場合の構成を示すブロック図である。図１３の構成の場合、スマートフォン１０１はサーバ１０２と通信し、室内機３はサーバとの通信機能を有している。
【００５６】
（室内機３の利点）
以上のように、本実施形態の室内機３は、室内機３の設置位置が右端設置または左端設置であれば、冷房運転において、導風板１７ａ，１７ｂを斜め上向き配置よりも若干下向き配置とする。これにより、室内機３は、冷房運転において、右端設置または左端設置の場合に、部屋５１の天井が湿る事態を防止することができる。
【００５７】
すなわち、室内機３は、右端設置または左端設置の場合に、室内機３の設置側では吹き出した空気をそのまま吸い込むようというショートサーキットが発生し易くなる。ショートサーキットが発生した場合、冷房運転では室内機３からの吹出し温度がより低くなる傾向が顕著に現れる。この場合、室内機３が吹き出した空気が天井に当たると、天井が湿気易くなる。そこで、このような事態を回避し、かつ多少のコアンダ効果を維持するため、室内機３が右端設置または左端設置の場合に、導風板１７ａ，１７ｂを斜め上向き配置よりも若干下向き配置とする。
【００５８】
一方、室内機３は、室内機３の設置位置が右端設置または左端設置でなければ、すなわち右端設置または左端設置よりも中央寄り設置であれば、冷房運転において、導風板１７ａ，１７ｂを斜め上向き配置とする。これにより、冷房運転において、コアンダ効果による効率のよい運転を行うことができる。
【００５９】
〔実施形態４〕
本発明のさらに他の実施形態について、以下に説明する。なお、説明の便宜上、上記実施形態にて説明した部材と同じ機能を有する部材については、同じ符号を付記し、その説明を繰り返さない。
【００６０】
（導風板駆動装置６３の構成）
図１４は、本実施形態の室内機４が備える導風板駆動装置６３の構成を示すブロク図である。図１５は、部屋５１の内部における室内機４の天井５２に対する設置位置を示す説明図である。
【００６１】
室内機４は、図１４に示すように、前記導風板駆動装置１９に代えて導風板駆動装置６３を備えている。導風板駆動装置６３は、前記導風板制御部３１に代わる導風板制御部７３、導風板駆動部３２および設置位置情報取得部９１を備えている。
【００６２】
設置位置情報取得部９１は、スマートフォン１０１からサーバ１０２を経由して送信された室内機４の設置位置情報を取得する。設置位置情報は、部屋５１の天井５２に対する室内機４の設置位置の情報、すなわち、図１５に示すように、天井５２の下面から室内機４の上面までの距離Ｓについての情報を含んでいる。
【００６３】
導風板制御部７３は、室内機４の冷房運転時に、設置位置情報が示す距離Ｓが所定の範囲外である場合（距離Ｓが長い場合）に、導風板１７ａ，１７ｂが斜め上向き配置となるように導風板駆動部３２を制御する。一方、導風板制御部７３は、室内機４の冷房運転時に、設置位置情報が示す距離Ｓが所定の範囲内である場合（距離Ｓが短い場合）に、導風板１７ａ，１７ｂが斜め上向き配置よりも若干下向き配置となるように、例えば斜め上向き配置と水平配置との間の配置位置となるように、導風板駆動部３２を制御する。
【００６４】
（スマートフォン１０１での設置位置情報の入力）
図１６は、スマートフォン１０１における室内機４の設置位置情報の入力画面を示す説明図である。スマートフォン１０１を操作するユーザは、設置位置情報を入力する場合に、サーバ１０２から設置位置情報を入力するためのアプリケーションソフトウエアをダウンロードし、そのソフトウエアを立ち上げると、図１６に示す入力画面が表示される。
【００６５】
設置位置情報の入力画面には、例えば、部屋５１の天井高、天井との隙間（距離Ｓ）、および壁からの距離（例えば左右の壁のうちの近い方の壁と室内機４との距離）が存在する。このうち特に重要であるのは、天井との隙間（距離Ｓ）である。スマートフォン１０１から入力された設置位置情報は、サーバ１０２を経由して室内機４へ送信される。
【００６６】
（導風板駆動装置６３の動作）
図１７は、導風板駆動装置６３の動作を示すフローチャートである。導風板駆動装置６３が動作を開始すると、導風板制御部７３は、まず、室内機４が冷房運転をしているかどうかを判定する（Ｓ４１）。
【００６７】
設置位置情報取得部９１は、室内機４が冷房運転していれば、スマートフォン１０１から送信された設置位置情報を取得する（Ｓ４２）。
【００６８】
導風板制御部７３は、設置位置情報取得部９１が取得した設置位置情報から、天井の下面と室内機４との距離Ｓが、所定の範囲内（例えば１０ｃｍ以下）であるかどうかを判定する（Ｓ４３）。
【００６９】
さらに、導風板制御部７３は、Ｓ４３において、距離Ｓが所定の範囲内であれば、導風板駆動部３２を制御して、導風板１７ａ，１７ｂを斜め上向き配置よりも若干下向き配置とする（Ｓ４４）。その後、導風板制御部７３は、冷房運転が終了であれば動作を終了する。
【００７０】
一方、導風板制御部７３は、Ｓ４３において、距離Ｓが所定の範囲内でなければ、導風板駆動部３２を制御して、導風板１７ａ，１７ｂを斜め上向き配置とする（Ｓ４５）。その後、導風板制御部７３は、冷房運転が終了であれば動作を終了する。
【００７１】
なお、室内機４は、部屋５１の壁に一旦設置されると、通常、設置位置は変更されない。したがって、上記の動作は、室内機４を設置した場合の初期設定として行われる。そこで、導風板制御部７３は、距離Ｓを記憶し、それ以降の制御は、記憶している距離Ｓに基づいて行う。あるいは、導風板制御部７３は、冷房運転時の導風板１７ａ，１７ｂの配置位置を記憶しておき、冷房運転時には導風板１７ａ，１７ｂの配置位置が記憶している配置となるように、導風板駆動部３２を制御する。
【００７２】
また、上記の説明では、室内機４への設置位置情報の提供をスマートフォン１０１からサーバ１０２を経由して行う構成とした。しかしながら、室内機４への設置位置情報の提供は、サーバ１０２からではなく、リモコン３３から行うようにしてもよい（図９参照）。
【００７３】
（室内機４の利点）
以上のように、本実施形態の室内機４は、室内機４の天井５２からの距離Ｓが所定の範囲内である場合（室内機４と天井５２との距離が短い場合）には、冷房運転において、導風板１７ａ，１７ｂを斜め上向き配置よりも若干下向き配置とする。これにより、室内機４は、冷房運転において、部屋５１の天井が湿る事態を防止することができる。
【００７４】
すなわち、室内機４は、冷房運転において、コアンダ効果が得られるように斜め上向き配置とした場合、天井５２からの距離Ｓが近い場合に、天井５２からの距離Ｓが遠い場合よりも、天井が湿気易くなる。そこで、このような事態を回避し、かつ多少のコアンダ効果を維持するため、室内機４の天井５２からの距離Ｓが所定の範囲内である場合に、導風板１７ａ，１７ｂを斜め上向き配置よりも若干下向き配置とする。
【００７５】
一方、室内機４は、天井５２からの距離Ｓが所定の範囲外である場合に、冷房運転において、導風板１７ａ，１７ｂを斜め上向き配置とする。これにより、冷房運転において、コアンダ効果による効率のよい運転を行うことができる。
【００７６】
〔ソフトウェアによる実現例〕
空気調和機の室内機１〜４の制御ブロック（特に導風板制御部３１，７１，７２，７３）は、集積回路（ＩＣチップ）等に形成された論理回路（ハードウェア）によって実現してもよいし、ソフトウェアによって実現してもよい。
【００７７】
後者の場合、室内機１〜４は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７８】
〔まとめ〕
本発明の態様１に係る空気調和機の室内機は、空気の吹出し方向を変更する導風板１７ａ，１７ｂと、前記導風板１７ａ，１７ｂを駆動する導風板駆動部３２と、冷房運転時に、前記導風板１７ａ，１７ｂが天井に空気を吹き付ける天井吹付け配置となるように前記導風板駆動部３２を制御する導風板制御部３１とを備えている空気調和機の室内機において、前記導風板制御部３１は、冷房運転時に、前記導風板１７ａ，１７ｂの前記天井吹付け配置（斜め上向き配置）により前記天井が湿る所定の条件が満たされた場合に、空気の吹出し方向が前記導風板１７ａ，１７ｂの天井吹付け配置の場合よりも下向きとなるように、前記導風板駆動部３２を制御する。
【００７９】
上記の構成によれば、冷房運転時に、導風板１７ａ，１７ｂの天井吹付け配置により前記天井が湿る所定の条件が満たされた場合に、空気の吹出し方向が導風板１７ａ，１７ｂの天井吹付け配置の場合よりも下向きとなる。これにより、室内機は、冷房運転において、コアンダ効果による効率のよい運転を行いながら、天井が湿る事態を防止することができる。
【００８０】
本発明の態様２に係る空気調和機の室内機は、上記態様１において、前記導風板制御部３１は、冷房運転時に、前記導風板１７ａ，１７ｂの前記天井吹付け配置（斜め上向き配置）が所定時間続いた場合に、空気の吹出し方向が前記導風板１７ａ，１７ｂの前記天井吹付け配置の場合よりも下向きとなるように、前記導風板駆動部３２を制御する構成としてもよい。
【００８１】
上記の構成によれば、冷房運転時に、導風板１７ａ，１７ｂの天井吹付け配置の状態が所定時間続いた場合に、空気の吹出し方向が導風板１７ａ，１７ｂの天井吹付け配置の場合よりも下向きとなる。これにより、室内機は、冷房運転において、コアンダ効果による効率のよい運転を行いながら、部屋の天井に所定時間を越えて冷えた空気が吹き付けられることにより天井が湿る事態を防止することができる。
【００８２】
本発明の態様３に係る空気調和機の室内機は、上記態様１において、部屋５１の温度を測定する室温センサ８２と、前記部屋５１の湿度を測定する湿度センサ８３と、室内機からの空気の吹出し温度を測定する吹出し温度センサ８４と、前記部屋５１の温度および前記部屋５１の湿度から露点温度を求める露点温度演算部８１とを備え、前記導風板制御部７１は、冷房運転時に、前記露点温度よりも前記吹出し温度の方が低くなった場合に、空気の吹出し方向が前記導風板１７ａ，１７ｂの天井吹付け配置の場合よりも下向きとなるように、前記導風板駆動部３２を制御する構成としてもよい。
【００８３】
上記の構成によれば、室内機からの吹出し温度が部屋５１の露点温度よりも低い場合には、冷房運転時に、空気の吹出し方向が導風板１７ａ，１７ｂの天井吹付け配置の場合よりも下向きとなる。これにより、室内機は、冷房運転において、コアンダ効果による効率のよい運転を行いながら、部屋５１の天井に水分を多量に含む空気が吹き付けられることにより天井が湿る事態を防止することができる。
【００８４】
本発明の態様４に係る空気調和機の室内機は、上記態様１において、部屋５１の壁に対する室内機の左右方向の設置位置を示す設置位置情報を取得する設置位置情報取得部９１を備え、前記導風板制御部７２は、前記設置位置情報が示す室内機の設置位置が、前記壁の右端または左端から所定の距離範囲内での設置状態である端設置（右端設置または左端設置）である場合に、空気の吹出し方向が前記導風板１７ａ，１７ｂの天井吹付け配置の場合よりも下向きとなるように、前記導風板駆動部３２を制御する構成としてもよい。
【００８５】
上記の構成によれば、室内機の設置位置が端設置（右端設置または左端設置）の場合には、冷房運転時に、空気の吹出し方向が導風板１７ａ，１７ｂの天井吹付け配置の場合よりも下向きとなる。これにより、室内機は、冷房運転において、コアンダ効果による効率のよい運転を行う一方、吹き出した空気をそのまま吸い込むショートサーキットが発生して吹出し温度がより低くなる場合に、部屋５１の天井が湿る事態を防止することができる。
【００８６】
本発明の態様５に係る空気調和機の室内機は、上記態様１において、部屋５１の天井に対する室内機の設置位置を示す設置位置情報を取得する設置位置情報取得部９１を備え、前記導風板制御部７３は、前記設置位置情報が示す室内機の設置位置が、前記天井から所定の距離範囲内である場合に、空気の吹出し方向が前記導風板１７ａ，１７ｂの天井吹付け配置の場合よりも下向きとなるように、前記導風板駆動部３２を制御する構成としてもよい。
【００８７】
上記の構成によれば、室内機の設置位置が天井から所定の距離範囲内である場合には、冷房運転時に、空気の吹出し方向が導風板１７ａ，１７ｂの天井吹付け配置の場合よりも下向きとなる。これにより、室内機は、冷房運転において、コアンダ効果による効率のよい運転を行う一方、室内機が天井に近い位置に設置された場合に、天井が湿り易くなる事態を防止することができる。
【００８８】
本発明の各態様に係る空気調和機の室内機は、コンピュータによって実現してもよく、この場合には、コンピュータを上記室内機が備える導風板制御部（ソフトウェア要素）として動作させることにより上記室内機をコンピュータにて実現させる室内機のプログラム、およびそれを記録したコンピュータ読み取り可能な記録媒体も、本発明の範疇に入る。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９０】
１〜４    室内機
１１    キャビネット
１２    熱交換器
１３    送風ファン
１４    フロントパネル
１７ａ，１７ｂ    導風板
１９，６１，６２，６３    導風板駆動装置
２１    吸込口
２２    吹出口
３１，７１，７２，７３    導風板制御部
３２    導風板駆動部
３３    リモートコントローラ
５１    部屋
８１    露点温度演算部
８２    室温センサ
８３    湿度センサ
８４    吹出し温度センサ
９１    設置位置情報取得部
１０１    スマートフォン
１０２    サーバ
【図１】
2019163164.tif 000003
【図２】
2019163164.tif 000004
【図３】
2019163164.tif 000005
【図４】
2019163164.tif 000006
【図５】
2019163164.tif 000007
【図６】
2019163164.tif 000008
【図７】
2019163164.tif 000009
【図８】
2019163164.tif 000010
【図９】
2019163164.tif 000011
【図１０】
2019163164.tif 000012
【図１１】
2019163164.tif 000013
【図１２】
2019163164.tif 000014
【図１３】
2019163164.tif 000015
【図１４】
2019163164.tif 000016
【図１５】
2019163164.tif 000017
【図１６】
2019163164.tif 000018
【図１７】
2019163164.tif 000019
【国際調査報告】
2019163164.tif 000020
2019163164.tif 000021
2019163164.tif 000022
2019163164.tif 000023
2019163164.tif 000024
2019163164.tif 000025